(57)【要約】【課題】店頭での展示時における訴求性に優れ、高い位置や低い位置の棚に載せて展示しても、訴求力が低下しないようにする。【解決手段】前面板１、対向する側面板２及び後面板３を角筒状に連設し、底面及び天面を閉じた包装箱において、前面板１に横向きの基折線１１を入れて、その両端部から側面板２の上部を経て後方へ向かう前切線１２、斜切線１３、上切線１４及び後切線１５を入れ、前面と天面の稜線である中折線１８を挟んだ上部表示板２２及び下部表示板２３と、その側縁を繋ぐコーナー板２５とから表示部２６を形成すると共に、表示部２６の下端側に前折板２７を形成し、商品の展示に際しては、後切線１５、上切線１４、斜切線１３及び前切線１２を切断し、前折板２７を前下方へ折り曲げ、表示部２６を上方へ折り返し、その状態に保持する。【選択図】図４
2011068387.tif 000002
【特許請求の範囲】
【請求項１】
前面板(1)、対向する側面板(2)及び後面板(3)を角筒状に連設し、底面及び天面を閉じた包装箱において、前面板(1)に横向きの基折線(11)を入れて、その両端部から側面板(2)の上部を経て後方へ向かう前切線(12)、斜切線(13)、上切線(14)及び後切線(15)を入れ、前面と天面の稜線である中折線(18)を挟んだ上部表示板(22)及び下部表示板(23)と、その側縁を繋ぐコーナー板(25)とから表示部(26)を形成すると共に、表示部(26)の下端側に前折板(27)を形成し、商品の展示に際しては、後切線(15)、上切線(14)、斜切線(13)及び前切線(12)を切断し、前折板(27)を前下方へ折り曲げ、表示部(26)を上方へ折り返し、その状態に保持することを特徴とする表示機能付き包装箱。
【発明の詳細な説明】
【技術分野】
【０００１】
この発明は、商品の包装及び展示に兼用でき、展示状態における広告等の表示機能を備えた包装箱に関するものである。
【背景技術】
【０００２】
従来、個装された菓子や食品等の商品を複数収納して小売店へ配送する包装用としてだけでなく、店頭での商品の展示に使用する包装箱として、下記特許文献１には、図６及び図７に示すようなものが記載されている。
【０００３】
この包装箱は、包装状態において、図６に示すように、前面板５１、対向する側面板５２及び後面板５３を角筒状に連設し、底面を閉じると共に、後面板５３の上端から延びる天面板５４で天面を閉じたものとされている。
【０００４】
また、この包装箱には、前面板５１の下部に横向きの基折線５５が入れられ、その両端から上方へ向けて、前面板５１に門型の切目線５６が入れられている。切目線５６の内側には、下折線５７、中折線５８及び上折線５９が下方から順次入れられ、中折線５８の中間部分には、上方へ膨出した弧状の切目線５８ａが入れられている。
【０００５】
この下折線５７と中折線５８及び切目線５８ａに挟まれた部分は、商品のキャッチコピー等の広告表示が印刷された表示板６０とされている。基折線５５と下折線５７に挟まれた部分は、前折板６１とされ、中折線５８及び切目線５８ａと上折線５９に挟まれた部分は、後折板６２とされている。
【０００６】
そして、表示板６０、前折板６１及び後折板６２から表示部６３が形成され、その上方の上折線５９と切目線５６に挟まれた部分が差込板６４とされている。
【０００７】
また、前面板５１、側面板５２及び後面板５３には、Ｙ字形の切目が断続する２本の切目線に挟まれた切裂帯６５が設けられ、その前端は表示部６３の上部に位置している。
【０００８】
このような包装箱に収納された商品を店頭で展示する際には、切裂帯６５を切断して、その上方部分を除去することにより、図７に示すように、商品Ｇを露出させ、切目線５６を切断し、前折板６１を前方へ折り曲げ、表示板６０を上方へ折り返し、後折板６２を斜め下後方へ折り曲げ、差込板６４を下方へ折り曲げて、前面板５１の内側に差し込み、表示部６３を前面板５１から前方へ突き出した状態に保持する。
【先行技術文献】
【特許文献】
【０００９】
【特許文献１】特許第４２０２６８６号公報
【発明の概要】
【発明が解決しようとする課題】
【００１０】
しかしながら、上記のような包装箱では、表示部６３が相対的に小さいことから、店頭での展示時における印象が弱く、また、陳列什器の最上段や最下段の棚に載せる場合、表示板６０が買物客から見にくい角度となり、訴求力が低下するという問題がある。
【００１１】
そこで、この発明は、店頭での展示時における訴求性に優れ、高い位置や低い位置の棚に載せて展示しても、訴求力が低下しないようにすることを課題とする。
【課題を解決するための手段】
【００１２】
上記課題を解決するため、この発明は、前面板、対向する側面板及び後面板を角筒状に連設し、底面及び天面を閉じた包装箱において、前面板に横向きの基折線を入れて、その両端部から側面板の上部を経て後方へ向かう前切線、斜切線、上切線及び後切線を入れ、前面と天面の稜線である中折線を挟んだ上部表示板及び下部表示板と、その側縁を繋ぐコーナー板とから表示部を形成すると共に、表示部の下端側に前折板を形成し、商品の展示に際しては、後切線、上切線、斜切線及び前切線を切断し、前折板を前下方へ折り曲げ、表示部を上方へ折り返し、その状態に保持するようにしたのである。
【発明の効果】
【００１３】
この包装箱では、展示状態において、上部表示板が斜め上方へ向き、下部表示板が斜め下方へ向くので、高い位置の棚に載せて展示する場合、下部表示板が下方から見上げる買物客にとって見やすい角度となり、低い位置の棚に載せて展示する場合、上部表示板が上方から見下ろす買物客にとって見やすい角度となる。また、中間の高さの棚に載せて展示する場合、立体的な表示部により買物客の関心を惹きつけることができ、いずれの場合にも、優れた訴求性を得ることができる。
【図面の簡単な説明】
【００１４】
【図１】この発明の実施形態に係る表示機能付き包装箱のブランクを示す図
【図２】同上の包装箱の包装状態を示す斜視図
【図３】同上の展示状態への変形過程を示す斜視図
【図４】同上の展示状態を示す斜視図
【図５】同上の棚に載せた状態を示す側面図
【図６】従来の表示機能付き包装箱の包装状態を示す斜視図
【図７】同上の展示状態を示す斜視図
【発明を実施するための形態】
【００１５】
以下、この発明の実施形態を添付図面に基づいて説明する。
【００１６】
この包装箱は、図１に示す板紙製ブランクから形成される。このブランクでは、前面板１の一側に側面板２及び後面板３が順次連設され、前面板１の他側に側面板２及び継代片４が順次連設されている。
【００１７】
前面板１及び後面板３の下端には底面板５が、各側面板２の下端には底面板６がそれぞれ連設され、前面板１及び後面板３の上端には天面板７，８が、各側面板２の上端には天面板９，１０がそれぞれ連設されている。
【００１８】
前面板１の高さ方向における中間部には、横向きの基折線１１が入れられている。基折線１１は、両端が側面板２との境界から離れた位置に留められ、折り曲げを容易にするため、押罫と切目とが交互に断続するリード罫とされている。
【００１９】
前面板１の両側部には、基折線１１の両端から上方へ向けて、前面板１の上端角から下方へ離れた位置まで前切線１２が入れられている。前切線１２は、下部が側面板２との境界から離れ、上部がその境界に沿っており、上方から下方への切断が連続して行なえるように、鉤形の切目が断続するジッパ型切目線とされている。
【００２０】
各側面板２には、前切線１２の上端から斜め上後方へ向けて、前側の上端角から後方へ離れた位置まで斜切線１３が入れられている。斜切線１３は、捻るような力が作用しても連続して切断できるように、波型の切目が断続する変形ジッパ型切目線とされている。
【００２１】
各側面板２と天面板９，１０の境界には、斜切線１３の上端から後方へ向けて後端まで上切線１４が入れられている。上切線１４は、後方から前方への切断が連続して行なえるように、鉤形の切目が断続するジッパ型切目線とされている。
【００２２】
後面板３には、両側上端から中央側下方へ向けて、Ｖ字状に後切線１５が入れられ、その谷部には、弧状の切込により指入部１６が形成されている。後切線１５は、指入部１６から連続して切断できるように、鉤形の切目が断続するジッパ型切目線とされている。
【００２３】
各側面板２及び後面板３には、前切線１２の途中から連続して、高さ方向の中間部に胴切線１７が入れられている。胴切線１７は、切断後における周壁の下方残存部が四隅で高くなるように屈曲し、前面板１側から周方向への切断が連続して行なえるように、鉤形の切目が断続するジッパ型切目線とされている。また、継代片４にも胴切線１７の延長部となる切目が入れられている。
【００２４】
そのほか、前面板１と天面板７の稜線は、両端が交わり中間部が離反するように相反する方向へ湾曲した２本の中折線１８とされている。
【００２５】
前面板１には、斜切線１３の下端間に亘る下折線１９が入れられ、下折線１９は、折り曲げを容易にするため、押罫と切目とが交互に断続するリード罫とされている。
【００２６】
天面板９，１０には、斜切線１３の上端から天面板９，１０の端縁まで上折線２０が入れられている。上折線２０は、折り曲げを容易にするため、押罫と切目とが交互に断続するリード罫とされ、上折線２０の端部には、切込２０ａが入れられている。上折線２０の後方には、押罫の補助折線２１が上折線２０と平行に入れられている。
【００２７】
天面板１０の前端縁は、上方の中折線１８の湾曲に合わせて弧状に切り欠かれ、天面板１０の上折線２０より前方の部分は、商品のキャッチコピー等の広告表示が印刷された上部表示板２２とされている。
【００２８】
また、前面板１の下折線１９と下方の中折線１８に挟まれた部分にも、商品のキャッチコピー等の広告表示が印刷され、この部分が下部表示板２３とされている。
【００２９】
さらに、２本の中折線１８に挟まれた部分にも、商品のキャッチコピー等の広告表示が印刷され、この部分が中間表示板２４とされている。
【００３０】
そして、各側面板２の斜切線１３より上前方の部分は、コーナー板２５とされ、上部表示板２２、下部表示板２３、中間表示板２４及びコーナー板２５から表示部２６が形成されている。
【００３１】
また、前面板１の基折線１１と下折線１９に挟まれた部分は前折板２７とされ、天面板９，１０の上折線２０より後方の部分、並びに天面板８及び後面板３の後切線１５より上方の部分は、差込板２８とされている。
【００３２】
上記ブランクを組み立てて商品を包装するには、図２に示すように、前面板１、側面板２及び後面板３を角筒状に折り曲げ、継代片４を後面板３に貼り付けて周壁を形成し、底面板５，６を順次内側へ折り曲げ、貼り合わせて底面を閉じ、商品の収納後、天面板７，８を内側へ折り曲げ、その上面に天面板９，１０を順次重ねてこれらを貼り合わせる。
【００３３】
一方、店頭で商品を展示する際には、図３に示すように、指入部１６から後切線１５、上切線１４、斜切線１３及び前切線１２を切断し、天面板９，１０を補助折線２１沿いに適宜屈曲させつつ、箱の天面及び前面上部を切り開き、前折板２７を基折線１１沿いに前下方へ折り曲げ、表示部２６を下折線１９沿いに上方へ折り返すと共に、胴切線１７を切断し、周壁の上部を除去して、商品Ｇを露出させる。
【００３４】
次に、図４及び図５に示すように、差込板２８を上折線２０沿いに下方へ折り曲げて、前面板１の内側に沿って箱内に差し込み、上折線２０の両端部の切込２０ａを、前面板１の両端に形成された立上部分に係合させると、表示部２６は、コーナー板２５で確実に保形され、箱の前面に突出した状態で保持される。
【００３５】
上記のように展示状態に変形した包装箱を、図５に示すように、店頭の棚Ｓに載せて商品Ｇを展示する際には、前折板２７と前面板１の間に、棚Ｓの転落防止柵Ｆが挟まるようにする。この展示状態においては、表示部２６の上部表示板２２が斜め上方へ向き、下部表示板２３が斜め下方へ向く。
【００３６】
このため、高い位置の棚Ｓに載せて展示する場合、下部表示板２３が下方から見上げる買物客にとって見やすい角度となり、低い位置の棚Ｓに載せて展示する場合、上部表示板２２が上方から見下ろす買物客にとって見やすい角度となる。また、中間の高さの棚Ｓに載せて展示する場合、湾曲した中間表示板２４の視覚効果も相俟って、立体的な表示部２６により買物客の関心を惹きつけることができる。
【００３７】
従って、いずれの高さの棚Ｓに載せる場合にも、優れた訴求性を得ることができ、販売促進効果が期待できる。
【００３８】
なお、上記実施形態では、上部表示板２２と下部表示板２３の間に中間表示板２４を設けたものを例示したが、中折線１８を通常の包装箱と同様に一本の直線として、中間表示板２４を省略してもよい。
【００３９】
また、側面板２に繋がる天面板１０の前部を上部表示板２２としたものを例示したが、前面板１に繋がる天面板７を、天面板９，１０の上面に重ねるようにして、これを商品のキャッチコピー等の広告表示が印刷された上部表示板２２としてもよい。
【００４０】
また、後切線１５を後面板３に入れたものを例示したが、後切線１５を天面板９，１０の中間部分に入れるようにしてもよい。
【００４１】
さらに、展示に際し、差込板２８を下方へ折り曲げて前面板１の内側に差し込むものを例示したが、差込板２８を省略し、表示部２６の上端側に設けた係合片を前面板１の両端の立上部分に係合させて、表示部２６を保持するようにしてもよい。
【符号の説明】
【００４２】
１  前面板
２  側面板
３  後面板
４  継代片
５，６  底面板
７，８，９，１０  天面板
１１  基折線
１２  前切線
１３  斜切線
１４  上切線
１５  後切線
１６  指入部
１７  胴切線
１８  中折線
１９  下折線
２０  上折線
２０ａ  切込
２１  補助折線
２２  上部表示板
２３  下部表示板
２４  中間表示板
２５  コーナー板
２６  表示部
２７  前折板
２８  差込板
【図１】
2011068387.tif 000003
【図２】
2011068387.tif 000004
【図３】
2011068387.tif 000005
【図４】
2011068387.tif 000006
【図５】
2011068387.tif 000007
【図６】
2011068387.tif 000008
【図７】
2011068387.tif 000009